(57)【特許請求の範囲】
【請求項１】
酸化作用により発熱する組成物を収容した袋体からなる貼付用温熱体であって、
前記袋体の一方の面に塗布又は貼着される粘着面と、
前記粘着面内に形成されるとともに、該粘着面の外縁に接触するように位置される非粘着部と、
前記粘着面内の前記非粘着部に相当する部分に貼り付けられる、上面が非粘着性で小面積の小シートと、
前記小シートと前記粘着面の両方を覆うように貼り付けられる剥離シートと
を有することを特徴とする貼付用温熱体。
【発明の詳細な説明】
【技術分野】
【０００１】
本発明は、酸化作用により発熱する組成物を収容した袋体からなる貼付用温熱体に関する。
【背景技術】
【０００２】
従来より防寒のためのカイロとして、空気と接触して酸化作用により発熱する発熱組成物を収容した通気性袋からなる温熱体がある。この温熱体は、防寒の他、肩こり、神経痛、筋肉痛等及び種々の原因による慢性的な疼痛を軽減するための医療用具など、様々な用途で広く用いられている。
【０００３】
このような温熱体は、衣類などに貼り付けて用いられることが多く、例えば、特許文献１のように、温熱体を人体（衣類）に貼り付けるための手法が種々考案されている。この特許文献１に開示された手法では、温熱体の両端部に、人体の背中に巻き回すのに十分な長さの紐を取付け、その紐を背中越しに引っ張ることで、温熱体を背中に貼ったような場合でも、他人の手を借りずに、温熱体を一人で剥がすことができる。
【特許文献１】特開２０００−２３７２２５号公報
【発明の開示】
【発明が解決しようとする課題】
【０００４】
しかしながら、上述した特許文献１に開示された発明では、背中から前へ届くほどの紐を温熱体に取付けるものであるため、その紐が邪魔になるとともに、外見上も芳しくないという問題があった。
【０００５】
そこで、本発明は、温熱体を人体や衣類に貼り付けて使用する場合に、その剥離を容易に行うことができる貼付用温熱体を提供することを目的とする。
【課題を解決するための手段】
【０００６】
上記課題を解決するために、本発明は、酸化作用により発熱する組成物を収容した袋体からなる貼付用温熱体であって、前記袋体の一方の面に塗布又は貼着される粘着面と、前記粘着面内に形成されるとともに、該粘着面の外縁に接触するように位置される非粘着部と、前記粘着面内の前記非粘着部に相当する部分に貼り付けられる、上面が非粘着性で小面積の小シートと、前記小シートと前記粘着面の両方を覆うように貼り付けられる剥離シートとを有することを特徴とする貼付用温熱体である。このような本発明によれば、粘着面により当該温熱体を、背中側など手の届きにくいところに貼り付けた場合であっても、非粘着部に指を入れることにより容易に剥がすことができる。
【０００７】
また、本発明において、前記非粘着部は、前記粘着面内において立体的に突出されるツマミ部としてもよい。この場合には、ツマミ部を袋体の外方に引き出した状態で、この温熱体を貼り付ければ、ツマミ部を引っ張ることにより、容易に剥がすことができる。
【発明の効果】
【０００８】
以上説明したように、本発明の貼付用温熱体によれば、温熱体を人体や衣類に貼り付けて使用する場合に、その剥離を容易に行うことができる。
【発明を実施するための最良の形態】
【０００９】
（構成）
以下に添付図面を参照して、本発明に係る貼付用温熱体の実施形態を詳細に説明する。図１は、本実施形態に係る貼付用温熱体の構成を示す上面図である。
図１に示すように、本実施形態にかかる温熱体は、基本的に、酸素の存在下で酸化作用により発熱する発熱組成物を収容する袋体１を備えている。
【００１０】
前記袋体１は、２つの矩形状の面部材を貼りあわせて形成された内部中空の扁平状をなし、この内部中空に発熱組成物が封入されている。また、袋体１には、外縁部分に例えばマチ部分のような貼りあわせ部を設けてもよい。これらの２つの面部材は、一方が、少なくとも一部が通気性を有し、他方が、粘着層を有する粘着面２となっている。通気面は、少なくとも一部が通気性を有する単層又は積層シートで構成されている。
【００１１】
袋体１の一面を構成する通気性のシートとしては、例えば、単層又は積層の多孔質フィルム又はシートを用いることができる。このフィルム又はシートを構成する樹脂としては、従来温熱体で用いられる公知のものが使用でき、必要発熱量、温度、用いる発熱組成物等に合わせて適切な通気度のものを適宜選択することができる。また、上記のフィルム又はシートは、不織布等の被覆材と積層してもよい。このような被覆材も、従来温熱体に用いられるものが使用でき、ナイロン、ビニロン、ポリエステル、レーヨン、アセテート、アクリル、ポリエチレン、ポリプロピレン、ポリ塩化ビニル等の人工繊維；綿、麻、絹等の天然繊維を、１種又は２種以上含む、布（不織布、織布）、紙、フィルムなどが挙げられる。
【００１２】
また、前記袋体１の一面を構成する粘着面２は、例えば、２枚のシートから形成されており、これら２枚のシートは、発熱組成物を通過させない内被シート、及び粘着層を有する外被シートとすることができる。この内被シートと外被シートとは、周縁部で接着されている。
【００１３】
特に、外被シート表面には、粘着層が形成されており、この粘着層を形成するには、外被シート（Ｂ）（例えば不織布）に粘着剤又はゲルを塗布してもよく、また、両面テープを貼付てもよい。この粘着剤としては、公知のものが使用でき、従来当該分野で使用されたものが使用できる。具体的には、例えば、ゴム系粘着剤組成物、アクリル系粘着剤組成物、その他の熱可塑性樹脂（例えば、ポリアミド系、ポリエチレン系、セルロース系樹脂）を主成分とする粘着剤組成物等が挙げられる。
【００１４】
本実施形態に係る温熱体では、未使用時には、その粘着面２が剥離シート４で覆われている。この剥離シート４の材料は、従来から発熱剤の粘着層の被覆用シートとして使用されているものであれば、いずれであってもよい。例えば、各種プラスチック・フィルムや薄層金属、プラスチック・フィルムと紙との積層体が、剥離シートとして用いられる。また、剥離シート４には、シリコーン系、アルキルアクリレート系、フッ素系等の剥離コート剤が塗布されていてもよい。プラスチック・フィルムを構成する高分子化合物の例としては、ポリエステル、ポリプロピレン、ポリエチレン、及びポリ塩化ビニルが挙げられる。
【００１５】
また、袋体１に封入される発熱組成物は、酸素と接触して発熱する組成物であればよく、一般的には、酸化反応により発熱する鉄粉等の金属粉と水を必須成分とし、活性炭、食塩や塩化カリウム等の無機塩化物、及び吸水性ポリマー、バーミキュライト、おが屑、シリカ系物質等の保水剤等を含む組成物が使用されている。例えば、発熱体の重量を１００％として、鉄３５〜８０重量％、活性炭１〜１０重量％、塩化物１〜１０重量％、水５〜４５重量％、保水剤１〜４５重量％からなるものが挙げられる。この発熱組成物は、一般的には粉体（粒状物を含む）であるが、それに限らず、アルコールの含有、加圧等の手段によってシート状に成形されていてもよい。
【００１６】
そして、本実施形態では、粘着面２内に、粘着面２の外縁に接触するように位置される非粘着部３が形成されている。この非粘着部３は、粘着面２の外縁部分の中央に位置されており、人の指が入る程度（例えば、２．５cm〜３cm）の幅を有している。また、この非粘着部３は、図２に示すように、矩形状の袋体１の四隅に三角形状として形成してもよい。
【００１７】
（非粘着部の形成方法）
上記非粘着部３は、粘着面２を形成する粘着剤を貼り付け又は塗布しないことにより形成してもよく、また、非粘着性のシートで覆うことにより形成してもよい。
【００１８】
例えば、図１（ａ）及び（ｂ）に示すように、粘着剤を塗布して形成する場合には、非粘着部３を避けて粘着剤を塗布したり、また、非粘着部３を切り欠いた形状の両面粘着シートを貼り付けて形成してもよい。
【００１９】
また、図３（ａ）〜（ｃ）に示すように、剥離シート４にミシン目４ｂを形成し、このミシン目４ｂに沿って切り裂きながら、剥離シート４を剥がすことによって、非粘着部３に相当する箇所に剥離シート４の残余部分４ａを残し、残余部分４ａを非粘着部３としてもよい。
【００２０】
さらに、図４に示すように、粘着面２内の非粘着部３に相当する部分に、上面が非粘着性で小面積の小シート５を貼り付け、この小シート５と粘着面２の両方を覆うように剥離シート４を貼り付けるようにしてもよい。この場合には、剥離シート４を剥がしても、非粘着部３に相当する部分に表面が非粘着性の小シート５が残ることから、これを持って非粘着部３を構成することができる。
【００２１】
また、粘着剤を塗布する場合には、図５（ａ）〜（ｅ）に示すような方法により、非粘着部３を形成することができる。
【００２２】
先ず、同図（ａ）に示すように、粘着剤を塗布する前の袋体１の表面において、非粘着部３を形成する部分にカバーフィルム６を貼り付け、同図（ｂ）に示すように、その状態で粘着剤を塗布する。その後、同図（ｃ）に示すように、カバーフィルム６を剥がすことにより非粘着部３を形成する。次いで、同図（ｄ）及び（ｅ）に示すように、剥離シート４を貼り付けて、完成させる。
【００２３】
なお、前記非粘着部は、図７（ａ）に示すように、粘着面２内において立体的に突出されるツマミ部７としてもよい。このツマミ部７は、例えばビニルテープを折り曲げて環状とし、粘着面同士を貼りあわせてツマミを形成するとともに、貼り合わせた部分の開放端を押し開き、その部分の粘着面７ａを粘着面２に貼り付けることにより、簡単に形成することができる。このツマミ部７は、使用前にあっては、折りたたんで袋体１の表面に密着させ、その上から剥離シート４で覆うことでコンパクトに収容することができる。
【００２４】
（使用方法・作用）
以上の構成を有する貼付用温熱体は、以下の方法で使用することができる。
すなわち、本実施形態に係る温熱体は、通常、製造後使用時まで、実質的に酸素を透過させない外袋に密封されて保存される。一般的には、上記のように粘着面２が剥離シート４で被覆された状態で、耐湿非通気性材料で構成されている外袋に入れられて保存される。外袋が非通気性であるので、発熱組成物は空気（酸素）と接触できず、化学反応して発熱することなく保存される。そして、外袋を開封すると、空気（酸素）が通気性シートを通過して発熱体に接触し、それによって酸化反応が開始され、反応熱が放出される。なお、外袋用材料の代表例として、アルミニウム薄層とポリマー・フィルムとが積層されてなるものが挙げられる。
【００２５】
そして、本実施形態では、粘着面２内に非粘着部３を形成したため、粘着面２により当該温熱体を、背中側など手の届きにくいところに貼り付けた場合であっても、非粘着部３に指を入れることにより容易に剥がすことができる。また、ツマミ部７を取付けた場合には、ツマミ部７を袋体１の外方に引き出した状態で、この温熱体を貼り付ければ、ツマミ部７を引っ張ることにより、容易に剥がすことができる。
【図面の簡単な説明】
【００２６】
【図１】実施形態に係る貼付用温熱体の上面図である。
【図２】実施形態に係る貼付用温熱体の変形例を示す上面図である。
【図３】実施形態において、ミシン目を付けることで非粘着部を形成する方法を示す説明図である。
【図４】実施形態において、小シート５を貼り付けることで非粘着部を形成する方法を示す説明図である。
【図５】実施形態において、カバーフィルム６により粘着剤の塗布を遮ることで非粘着部を形成する方法を示す説明図である。
【図６】実施形態において非粘着部を立体的なツマミ部とした場合を示す説明図である。
【符号の説明】
【００２７】
１…袋体
２…粘着面
３…非粘着部
４…剥離シート
４ｂ…ミシン目
４ａ…残余部分
５…小シート
６…カバーフィルム
７…ツマミ部
【図１】
0005189410.tif 000002
【図２】
0005189410.tif 000003
【図３】
0005189410.tif 000004
【図４】
0005189410.tif 000005
【図５】
0005189410.tif 000006
【図６】
0005189410.tif 000007